(57)【要約】      （修正有）【課題】ペットに定時に定量の粒状の餌を自動で供給する装置を提供する。【解決手段】所定時間おきに自動的にペットの餌等の粒状固形物を供給する装置であって回転体とスライドバーと餌箱からなり、回転体は所定の時間で一回転するギアを備えた構造になっており、スライドバーは少なくとも一以上のラックを備え、略水平方向にスライド可能で、前記回転体におけるギアの回転により、スライドバーを回転方向へスライドさせる。【選択図】図１
0003149260.tif 000002
【実用新案登録請求の範囲】
【請求項１】
所定時間おきに自動的にペットの餌等の粒状固形物を供給する装置であって回転体とス
ライドバーと餌箱からなり、回転体は所定の時間で一回転するギアを備えた構造になっており、スライドバーは少なくとも一以上のラックを備え、略水平方向にスライド可能で、前記回転体におけるギアの回転により、スライドバーを回転方向へスライドさせ、餌箱は少なくとも一以上の餌収納部に仕切られており、各餌収納部の下端部には回動可能な開閉板が備えられており、回転体におけるギアの回転により、スライドバーに備えられたラックで、スライドバーはギアの回転方向へ略水平に移動し、その後端部が各餌収納部の開閉板の下を通過することにより、該開閉板が餌の自重で開放されることで餌を供給することを特徴とする定時定量自動で粒状固形物を供給する装置。
【請求項２】
前記装置において、前記開閉板がスライドバーのスライド方向に対して後方端に回動軸を有する第一開閉板と同スライド方向に対して前方端に回動軸を有する第二開閉板との二重構造になっており、該スライドバーのスライドによって、その後端部が第一開閉板を通過することで、該第一開閉板が自重で開放されると共に、該第一開閉板の上に位置する第二開閉板が餌の自重で開放されることを特徴とする請求項１に記載の定時定量自動で粒状固形物を供給する装置。
【考案の詳細な説明】
【技術分野】
【０００１】
本考案は、ペットに定時に定量の粒状の餌を自動で供給する装置に関するものである。
【背景技術】
【０００２】
ペットへの定時定量自動給餌には電気接点付タイマーと電動モーターなどが使われ複雑な機構が必要だった。
【考案の開示】
【考案が解決しようとする課題】
【０００３】
電動モーターなどを使うとそれを作動させる為のタイマーを必要とするなど複雑な機  構を必要とする。そこで本考案は回転体の回転力を、餌の供給をコントロールする動力に使い、簡単な構造で定時定量自動の給餌を可能とし、前述の欠点を解決しよとするものである。
【考案の効果】
【０００４】
上述のように、電気モーター等を使用せず、粒状の餌を下放させることが出来るので簡易な構造で定時に自動定量の給餌が可能になる。餌は下放落下させるのでペットサークル等の上端に設置すれば、餌の臭気漏れによるペットによる悪戯を防げる。また置き場所をとらないのでペットサークの中を有効に使える。
【課題を解決するための手段】
【０００５】
上記の課題を解決するため、本考案は回転体とスライドバーと餌箱からなる装置とし、
回転体は所定時間で一回転する回転軸にギアを備えた構造になっている。当該ギアの歯数
は特定不要なので、実施例では最も簡単な一枚歯を使用している。
スライドバーは、少なくとも一以上のラックを備え、略水平方向にスライド可能になるそのスライド部を明示するため、図１ではスライド部を太線にした。前記回転体におけるギアの回転により、スライドバーを回転方向へスライドさせる。
餌箱は、少なくとも一以上の餌収納部に仕切られており、各餌収納部にはペット一食
の適切な量の餌を予め補給する。各餌収納部の下端部には回動可能な開閉板が備えられており、設定した時間までは該開閉板はスライドバーによって閉められている。
回転体におけるギアの回転により、ギアとスライドバーに備えられたラックが当接して、該スライドバーをギアの回転方向へ略水平に移動させる。該スライドバーの移動によってその後方端が各餌収納部の開閉板の下を通過することにより、該開閉板が餌の自重で開放されることで、ペットに定量の餌が供給される。回転体が一回転すると、スライドバーは餌箱の餌収納部の一個分移動するようにスライドバーに複数のラックを設ければ、餌の供給は所定時間ごとに繰り返される。
当該開閉板はスライドバーのスライド方向に対して後方端に回転軸を有する第一開閉板と同スライド方向に対して前方端に回転軸を有する第二開閉板の二重構造になっている。
第二開閉板は餌の重量を支え、第一開閉板は回動部近くで第二開閉板を下から支えているので餌の重量の大部分は、第一開閉板の軸と第二開閉板の軸に懸かる。第一開閉板は該スライドバーの移動方向に対して後端でスライドバーと接するが、餌の重量はスライドバーに殆ど懸からず、スライドバーは滑らかにスライド出来る。
該スライドバーのスライドによって、その後端が第一開閉板を通過することで、該第一開閉板は自重で開放される。該第一開閉板の開放に連動して、その上に位置する第二開閉板は餌の自重で開放され餌は落下する。
これ等部品の組み合わせにより、回転体の小さな回転力で定時定量自動給餌を可能にしている。
【考案を実施するための最良の形態】
【０００６】
上記回転体は市販の時計装置を利用することが出来る。時計装置から秒針と分針を外し時針のみ残せば、１２時間で一回転する一枚歯のギア付回転体となる。これをラックを駆動する動力とする。犬や猫は通常一日二回、朝夕１２時間おきに給餌するので１２時間で一回転する時計の時針はそのまま動力として使える。
スライドバーのラック位置を餌箱の各収納部の幅と一致させ複数のラックを設けると、
ラックバーは等間隔の移動を１２時間ごとに繰り返すことが出来るので、給餌収納部等を増やせば、給餌回数は必要に応じて設定できる。
給餌収納部の大きさはペットの体重等により決定するが、その大きさの範囲内であれば一回分の給餌量は飼い主が決め、餌の収納部に予め補給することで定量の餌の補給ができる。
餌収納部、スライドバー、開閉板の材質は摩擦が少なく吸湿性が少なく衛生的で軽量なプラスチック等を使用する。
【実施例】
【０００７】
以下、添付図面に従って一実施例を説明する。１は市販の時計装置で秒針分針が外してある。２は時針である。時針は云うまでも無く１２時間で一回転する、時針が５時頃になると３スライドバーの４ラックＡと接触し、時針により３スライドバーは図の左方に押され、時針が７時頃になるとラックから離れるが、時針がラックから離れる前に３スライドバーの右端が７第一開閉板の左端を通過するようラックの位置が決められている。当該第一開閉板の右端は回動可能になっており、ラックバーが通過し終えれば自重で開放される。第一開閉板が開放されれば、その上に位置し左端が回動可能な８第二開閉板も開放される。餌収納部には所定量の餌が補給されているので、餌の自重により餌は落下しペットに供給される。
その時５ラックＢは４ラックＡがあった所へ移動しているので、これを繰り返すことで１２時間おきに連続して自動給餌が可能になる。
【図面の簡単な説明】
【０００８】
【図１】本考案のペット用定時定量自動給餌装置の実施例を示す正面図である。尚餌収納部分は切欠断面図である。スライドバーのスライド部を明示するため太線とした。第一開閉板と第二開閉板の黒点は回動の軸を示した。
【符号の説明】
【０００９】
１  市販の時計装置（秒針と分針が外してある。）
２  時計の時針（一枚歯のギアとして使用。）
３  スライドバー（ラックＡ、Ｂ等が固定されている。ラックＣ以降は省略。）
４  ラックＡ
５  ラックＢ
６  開閉板Ａ（７第一開閉板と８第二開閉板で構成。開閉板Ｂ以降は省略。）
７  第一開閉板
８  第二開閉板
９  餌収納部Ａ（第一回目の餌。餌収納部Ｂ以降は省略。）
【図１】
0003149260.tif 000003